(57)【要約】【課題】ベースバンドのオーディオデータを高品質に伝送することのできる電子機器を提供する。【解決手段】サンプリング・レート・コンバータにて、デコーダより供給されたベースバンドのオーディオデータのサンプリング周波数を、第２のトランスミッタの近傍に設けられた専用の水晶発振器の周波数信号から生成された第２のオーディオ用のマスタークロックのレートに合わせる。また、第２のトランスミッタにて、専用の水晶発振器の周波数信号から生成された第２のビデオ用のマスタークロックからピクセルクロックを生成し、外部の機器に伝送する。デコーダ内の発振部の周波数信号をソースとするクロックの伝送路長に比較して専用の水晶発振器の周波数信号をソースとするクロックの伝送路長は短くて済むことで、電子機器内での高周波ノイズによるクロックへの影響が低減され、外部の機器に伝送されるピクセルクロックに発生するジッタの量を低減できる。【選択図】図２
2011066548.tif 000002
【特許請求の範囲】
【請求項１】
所定の周波数信号を発振する第１の発振器を有し、この第１の発振器の周波数信号から第１のビデオ用のマスタークロックおよび第１のオーディオ用のマスタークロックを生成し、前記第１のビデオ用のマスタークロックを用いて、圧縮符号化されたビデオデータを復号してベースバンドのビデオデータを出力し、前記第１のオーディオ用のマスタークロックを用いて、圧縮符号化されたオーディオデータを復号してベースバンドのオーディオデータを出力する復号部と、
前記ベースバンドのビデオデータおよびオーディオデータと、前記第１のビデオ用のマスタークロックに対応するピクセルクロックを複数のチャンネルを用いて外部に接続された機器に伝送可能な第１の送信部と、
所定の周波数信号を発振する第２の発振器と、
前記第２の発振器の周波数信号から第２のオーディオ用のマスタークロックを生成するオーディオクロック発生部と、
前記復号部より出力された前記ベースバンドのオーディオデータのサンプリング周波数を前記生成された第２のオーディオ用のマスタークロックに合せて変換する変換部と、
前記第２の発振器の発振周波数から第２のビデオ用のマスタークロックを生成する信号発生部と、
少なくとも、前記変換部により出力された、前記サンプリング周波数が変換された前記オーディオデータと、前記第２のビデオ用のマスタークロックに対応するピクセルクロックを前記複数のチャンネルを用いて外部に接続された機器に伝送可能な第２の送信部と
を具備する電子機器。
【請求項２】
請求項１に記載の電子機器であって、
前記信号発生部は、前記復号部から前記第１の送信部に出力されるベースバンドのビデオデータに代えて、前記第２のビデオ用のマスタークロックに同期した"０"のビデオデータを発生して、前記第２の送信部に前記第２のビデオ用のマスタークロックとともに供給し、
前記第２の送信部は、前記サンプリング周波数が変換された前記オーディオデータと、前記第２のビデオ用のマスタークロックに対応するピクセルクロックに加えて、前記第２のビデオ用のマスタークロックに同期した"０"のビデオデータを外部に接続された機器に伝送可能である
電子機器。
【請求項３】
請求項２に記載の電子機器であって、
前記復号部は、
前記ベースバンドのオーディオデータに係る第１のビットクロックおよび第１のＬＲクロックをさらに出力し、
前記変換部は、前記復号部より出力された前記第１のビットクロックおよび第１のＬＲクロックを、前記生成された第２のビデオ用のマスタークロックを基準とした前記第２のビットクロックおよび第２のＬＲクロックに変換し、
前記第２の送信部は、前記変換部により出力された前記オーディオデータを、前記変換部により生成された第２のビットクロックおよび第２のＬＲクロックに従って外部に接続された機器に伝送する
電子機器。
【請求項４】
請求項３に記載の電子機器であって、
前記第２の発振器は、前記第２の送信部の近傍に配置される
電子機器。
【請求項５】
復号部が、第１の発振器の周波数信号から第１のビデオ用のマスタークロックおよび第１のオーディオ用のマスタークロックを生成し、前記第１のビデオ用のマスタークロックを用いて、圧縮符号化されたビデオデータを復号してベースバンドのビデオデータを出力し、前記第１のオーディオ用のマスタークロックを用いて、圧縮符号化されたオーディオデータを復号してベースバンドのオーディオデータを出力し、
第１の送信部が、外部の機器が接続されているとき、前記ベースバンドのビデオデータおよびオーディオデータと、前記第１のビデオ用のマスタークロックに対応するピクセルクロックを複数のチャンネルを用いて前記機器に伝送し、
オーディオクロック発生部が、第２の発振器の周波数信号から第２のオーディオ用のマスタークロックを生成し、
変換部が、前記復号部より出力された前記ベースバンドのオーディオデータのサンプリング周波数を前記生成された第２のオーディオ用のマスタークロックに合せて変換し、
信号発生部が、前記第２の発振器の発振周波数から第２のビデオ用のマスタークロックを生成し、
第２の送信部が、外部の機器が接続されているとき、少なくとも、前記変換部により出力された、前記サンプリング周波数が変換された前記オーディオデータと、前記第２のビデオ用のマスタークロックに対応するピクセルクロックを前記複数のチャンネルを用いて前記機器に伝送する
を具備するデータ伝送方法。
【発明の詳細な説明】
【技術分野】
【０００１】
本発明は、ＨＤＭＩによりビデオデータおよびオーディオデータを伝送する電子機器およびデータ伝送方法に関する。
【背景技術】
【０００２】
近年、非圧縮（ベースバンド）のビデオデータと、そのビデオデータに付随するオーディオデータとを高速に伝送する通信インターフェースとして、ＨＤＭＩ（High Definition Multimedia Interface）（登録商標）が普及しつつある。例えば、ＨＤＭＩは、ブルーレイレコーダやセットトップボックス、その他のＡＶ（Audio Visual）ソースから、テレビジョン受像機、プロジェクタ、モニターなどに、高画質のビデオデータを送ることができる。例えば、特許文献１には、ＨＤＭＩ規格の詳細についての記載がある。
【０００３】
ＨＤＭＩでは、ビデオデータ及びオーディオデータを送信する側の電子機器に設けられるＨＤＭＩソースと、受信側の電子機器に設けられるＨＤＭＩシンクとの間でＨＤＭＩケーブルを通じて双方向に通信を行う。ＨＤＭＩソースには「トランスミッタ」と呼ばれる送信部が設けられ、ＨＤＭＩシンクには「レシーバ」と呼ばれる受信部が設けられる。トランスミッタからレシーバへは、ビデオデータ、オーディオデータ、制御データ、ピクセルクロックなどが複数のチャンネルを用いて伝送される。制御データには、例えば、垂直同期信号（Ｖ＿Ｓｙｎｃ）水平同期信号（Ｈ＿Ｓｙｎｃ）、ビデオ用のマスタークロックであるピクセルクロックとオーディオ用のマスタークロックとの分周比データなどが含まれる。
【０００４】
レシーバは、トランスミッタから複数のチャンネルで送信されてくるビデオデータおよびオーディオデータおよび制御データを、トランスミッタからＴＭＤＳクロックチャンネルで送信されてくるピクセルクロックに同期して受信する。また、レシーバは、受信したビデオデータ、オーディオデータおよび制御データを分離し、分離したビデオデータと、制御データ中の垂直同期信号（Ｖ＿Ｓｙｎｃ）および水平同期信号（Ｈ＿Ｓｙｎｃ）などをビデオ処理部に供給する。ビデオ処理部は、レシーバより供給されたビデオデータを、同じくレシーバより供給された垂直同期信号（Ｖ＿Ｓｙｎｃ）および水平同期信号（Ｈ＿Ｓｙｎｃ）に従って表示部に表示させるように処理を行う。
【０００５】
また、レシーバは、分離したオーディオデータをオーディオ処理部に供給し、ＴＭＤＳクロックチャンネルで送信されてくるピクセルクロックと、制御データ中の分周比データをオーディオクロック再生部にそれぞれ供給する。オーディオクロック再生部は、レシーバより供給されたピクセルクロックと分周比データとからオーディオ用のマスタークロックを生成してオーディオ処理部に供給する。オーディオ処理部は、レシーバより供給されたオーディオデータを、オーディオクロック再生部より供給されたオーディオ用のマスタークロックに同期してアナログのオーディオ信号を復元し、オーディオ出力部に供給する。
【先行技術文献】
【特許文献】
【０００６】
【特許文献１】ＷＯ２００２／０７８３３６（ＰＣＴ／ＪＰ０２／０２８２４）
【発明の概要】
【発明が解決しようとする課題】
【０００７】
上記のようにＨＤＭＩシンクでは、ＴＭＤＳクロックチャンネルで送信されてくるピクセルクロックに同期して、ビデオデータを受信するとともに、ピクセルクロックを分周して得たオーディオ用のマスタークロックに同期してオーディオデータを元のアナログの信号波形に復元している。このため次のような問題が生じることがある。
【０００８】
ピクセルクロックは、圧縮符号化されたビデオデータおよびオーディオデータを復号してベースバンドのデータを得るデコーダから供給されるビデオ用のマスタークロック（ビデオクロック）をもとにＨＤＭＩソース内のトランスミッタにより生成されてＨＤＭＩシンクに向けて伝送される。しかし、デコーダからトランスミッタへの信号伝送路は電子機器内の高周波ノイズに晒されているため、信号伝送路を伝送されるビデオ用のマスタークロックに高周波ノイズの影響による時間軸方向への揺らぎ（ジッタ）が発生するおそれがある。このためトランスミッタからＨＤＭＩシンクにジッタ成分を含むピクセルクロックが伝送され、ＨＤＭＩシンクを有する電子機器で、ビデオデータの受信と、オーディオデータからアナログの信号波形への復元に悪影響が及ぶおそれがある。
【０００９】
ここで、ビデオ再生へのピクセルクロックのジッタによる影響と、オーディオデータからのアナログ信号波形の復元に対するピクセルクロックのジッタによる影響とを比較すると、聴覚的な情報は視覚的な情報に比較して、ユーザにより知覚されやすく、メディア再生の品質への影響度が高いと言える。
【００１０】
以上のような事情に鑑み、本発明の目的は、ベースバンドのオーディオデータを高品質に伝送することのできる電子機器およびデータ伝送方法を提供することにある。
【課題を解決するための手段】
【００１１】
上記目的を達成するため、本発明に係る電子機器は、復号部と、第１の送信部と、第２の発振器と、オーディオクロック発生部と、信号発生部と、第２の送信部とを具備する。
復号部は、所定の周波数信号を発振する第１の発振器を有し、この第１の発振器の周波数信号から第１のビデオ用のマスタークロックおよび第１のオーディオ用のマスタークロックを生成し、前記第１のビデオ用のマスタークロックを用いて、圧縮符号化されたビデオデータを復号してベースバンドのビデオデータを出力し、前記第１のオーディオ用のマスタークロックを用いて、圧縮符号化されたオーディオデータを復号してベースバンドのオーディオデータを出力する。
第１の送信部は、前記ベースバンドのビデオデータおよびオーディオデータと、前記第１のビデオ用のマスタークロックに対応するピクセルクロックを複数のチャンネルを用いて外部に接続された機器に伝送可能である。
第２の発振器は、所定の周波数信号を発振する。
オーディオクロック発生部は、前記発振器の周波数信号から第２のオーディオ用のマスタークロックを生成する。
信号発生部は、前記復号部より出力された前記ベースバンドのオーディオデータのサンプリング周波数を前記生成された第２のオーディオ用のマスタークロックに合せて変換する変換部と、前記第２の発振器の発振周波数から第２のビデオ用のマスタークロックを生成する。
第２の送信部は、少なくとも、前記変換部により出力された、前記サンプリング周波数が変換された前記オーディオデータと、前記第２のビデオ用のマスタークロックに対応するピクセルクロックを前記複数のチャンネルを用いて外部に接続された機器に伝送可能である。
【００１２】
本発明では、変換部にて、復号部より供給されたベースバンドのオーディオデータのサンプリング周波数を、第２の発振器の周波数信号から生成された第２のオーディオ用のマスタークロックのレートに合わせる。また、第２の送信部にて、第２の発振器の周波数信号から生成された第２のビデオ用のマスタークロックからピクセルクロックを生成し、外部の機器に伝送する。ここで、第２の送信部の近傍に第２の発振器を配置し、第２の送信部により近い位置に配置することで、復号部内の第１の発振部の周波数信号をソースとするクロックの伝送路長に比較して、第２の発振部の周波数信号をソースとするクロックの伝送路長は短くて済む。これにより、電子機器内での高周波ノイズによるクロックへの影響が低減され、外部の機器に伝送されるピクセルクロックに発生するジッタの量を低減することができる。したがって、第２の送信部から外部の機器にオーディオデータを高品質に伝送することができる。
【００１３】
本発明において、前記信号発生部は、前記復号部から前記第１の送信部に出力されるベースバンドのビデオデータに代えて、前記第２のビデオ用のマスタークロックに同期した"０"のビデオデータを発生して、前記第２の送信部に前記第２のビデオ用のマスタークロックとともに供給し、前記第２の送信部は、前記サンプリング周波数が変換された前記オーディオデータと、前記第２のビデオ用のマスタークロックに対応するピクセルクロックに加えて、前記第２のビデオ用のマスタークロックに同期した"０"のビデオデータを外部に接続された機器に伝送可能としてもよい。
【００１４】
また、本発明において、前記復号部は、前記ベースバンドのオーディオデータに係る第１のビットクロックおよび第１のＬＲクロックをさらに出力し、前記変換部は、前記復号部より出力された前記第１のビットクロックおよび第１のＬＲクロックを、前記生成された第２のビデオ用のマスタークロックを基準とした前記第２のビットクロックおよび第２のＬＲクロックに変換し、前記第２の送信部は、前記変換部により出力された前記オーディオデータを、前記変換部により生成された第２のビットクロックおよび第２のＬＲクロックに従って外部に接続された機器に伝送するようにしてもよい。
【発明の効果】
【００１５】
以上のように、本発明によれば、ベースバンドのオーディオデータを高品質に伝送することができる。
【図面の簡単な説明】
【００１６】
【図１】本実施の一形態に係る電気機器を用いたデータ伝送システムの構成を示すブロック図である。
【図２】ＨＤＭＩソース内の第１のトランスミッタおよび第２のトランスミッタの周辺回路の構成を示すブロック図である。
【図３】本実施の一形態に係る電気機器を用いたデータ伝送システにおける機器の接続形態を示す図である。
【図４】本実施の一形態に係る電気機器を用いたデータ伝送システにおける機器の別の接続形態を示す図である。
【発明を実施するための形態】
【００１７】
以下、図面を参照しながら、本発明の実施形態を説明する。
図１は、本実施の一形態に係る電気機器を用いたデータ伝送システムの構成を示すブロック図である。
【００１８】
＜第１の実施形態＞
［システムの構成］
図１に示すように、このデータ伝送システム１００は、ＨＤＭＩケーブル１により互いに接続された第１の電子機器１０（電子機器）と第２の電子機器２０（外部に接続された機器）よりなる。ここで、第１の電子機器１０をデータ送信側、第２の電子機器２０をデータ受信側とする。ＨＤＭＩケーブル１を通じてデータを送信する処理を行う部分を「ＨＤＭＩソース」、ＨＤＭＩケーブル１を通じてデータを受信する処理を行う部分を「ＨＤＭＩシンク」と呼ぶ。すなわち、図示例では、第１の電子機器１０にはＨＤＭＩソース１１が内蔵され、第２の電子機器２０にはＨＤＭＩシンク２１が内蔵される。
【００１９】
ＨＤＭＩソース１１を内蔵した第１の電子機器１０は、より具体的には、圧縮符号化されたビデオデータおよびオーディオデータを復号して非圧縮（ベースバンド）のビデオデータおよびオーディオデータを生成するデコーダ（復号部）を備えた機器などである。例えば、ＤＶＤ、ブルーレイ・ディスクなどの可搬型媒体に記録されたビデオデータおよびオーディオデータの復号を行うプレーヤや、地上デジタル放送、ＣＳ（Communication Satellite）デジタル放送、ＢＳ（Broadcasting Satellite）デジタル放送など、各種の放送形態の放送局からの放送波に乗って放送されるビデオデータおよびオーディオデータを受信して復号する放送受信機、インターネットなどのネットワークを通じて送信されるビデオデータおよびオーディオデータを受信して復号する情報処理装置などが挙げられる。
【００２０】
ＨＤＭＩソース１１は、第１のトランスミッタ１２（第１の送信部）と第２のトランスミッタ１３（第２の送信部）を有する。
【００２１】
第１のトランスミッタ１２は、デコーダより供給されるベースバンドのビデオの画素データを対応する差動信号に変換し、アクティブ映像エリアにおいて３つのＴＭＤＳ（Transition Minimized Differential Signaling）チャンネル＃０，＃１，＃２でＨＤＭＩシンク２１に伝送する。アクティブ映像エリアとは、１の垂直同期信号から次の垂直同期信号までの区間から水平帰線区間及び垂直帰線区間を除いた区間である。
【００２２】
また、第１のトランスミッタ１２は、デコーダより供給されるベースバンドのオーディオデータおよび制御データをそれぞれ対応する差動信号に変換し、水平帰線区間または垂直帰線区間に、３つのＴＭＤＳチャンネル＃０，＃１，＃２でＨＤＭＩシンク２１に伝送する。ここで、ベースバンドのオーディオデータは、デコーダより供給されるベースバンドのビデオデータに付随するオーディオデータのことである。
【００２３】
さらに、第１のトランスミッタ１２は、３つのＴＭＤＳチャンネル＃０，＃１，＃２で伝送する画素データに同期したピクセルクロックを、ＴＭＤＳクロックチャンネルでＨＤＭＩシンク２１に送信する。ここで、１つのＴＭＤＳチャンネル＃ｉ（ｉ=０，１，２）では、ピクセルクロックの１クロックの間に、１０ビットの画素データが送信される。第１のトランスミッタ１２は、デコーダから供給されたビデオクロック（第１のビデオ用のマスタークロック）をそのままピクセルクロックとしてＨＤＭＩシンク２１に送信する。
【００２４】
第２のトランスミッタ１３は、近傍に配置された専用の水晶発振器（第２の発振器）の発振周波数信号から生成されたオーディオ用のマスタークロック（第２のオーディオ用のマスタークロック）に合わせてサンプリング・レートが変換されたオーディオデータに対応する差動信号をＨＤＭＩシンク２１に伝送する。また、第２のトランスミッタ１３は、デコーダより供給されるベースバンドのビデオデータに代えて、"黒（０）"に対応する差動信号をＨＤＭＩシンク２１に伝送する。さらに、第２のトランスミッタ１３は、上記専用の水晶発振器の発振周波数信号から生成されたビデオクロック（第２のビデオ用のマスタークロック）をピクセルクロックとしてＴＭＤＳクロックチャンネルでＨＤＭＩシンク２１に送信する。上記の水晶発振器を含む第２のトランスミッタ１３の周辺回路の構成については後で詳細に説明する。
【００２５】
また、ＨＤＭＩソース１１とＨＤＭＩシンク２１とからなるＨＤＭＩシステムの伝送チャンネルには、３つのＴＭＤＳチャンネル＃０乃至＃２とＴＭＤＳクロックチャンネルの他に、ＤＤＣ（Display Data Channel）、ＣＥＣラインと呼ばれる伝送チャンネルがある。
【００２６】
ＤＤＣは、ＨＤＭＩケーブル１に含まれる図示せぬ２本の信号線からなり、ＨＤＭＩソース１１がＨＤＭＩシンク２１からＥ−ＥＤＩＤ（Enhanced Extended Display Identification Data）を読み出すために使用される。すなわち、ＨＤＭＩシンク２１は、レシーバ２２の他に自身の設定や性能に関する情報であるＥ−ＥＤＩＤを記憶しているＥＤＩＤＲＯＭ（ＥＤＩＤ ＲＯＭ（Read Only Memory））を有している。ＨＤＭＩソース１１は、そのＨＤＭＩシンク２１のＥＤＩＤＲＯＭからＥ−ＥＤＩＤをＤＤＣを介して読み出し、そのＥ−ＥＤＩＤに基づき、ＨＤＭＩシンク２１の設定や性能、すなわち、たとえばＨＤＭＩシンク２１（を有する電子機器）が対応しているビデオのフォーマット（プロファイル）、たとえばＲＧＢ（Red，Green，Blue）やＹＣｂＣｒ４：４：４，ＹＣｂＣｒ４：２：２などを認識する。また、ＨＤＭＩソース１１もＨＤＭＩシンク２１と同様に、Ｅ−ＥＤＩＤを記憶し、必要に応じてそのＥ−ＥＤＩＤをＨＤＭＩシンク２１７２に送信することができる。
【００２７】
ＣＥＣラインは、ＨＤＭＩケーブル１に含まれる図示せぬ１本の信号線からなり、ＨＤＭＩソース１１とＨＤＭＩシンク２１との間で、制御用のデータの双方向通信を行うのに用いられる。また、ＨＤＭＩソース１１及びＨＤＭＩシンク２１は、ＤＤＣまたはＣＥＣラインを介して、たとえば、ＩＥＥＥ（Institute of Electrical and Electronics Engineers）８０２．３に準拠したフレームをＨＤＭＩシンク２１及びＨＤＭＩソース１１に送信することにより、双方向のＩＰ通信を行うことができる。さらに、ＨＤＭＩケーブル１には、Ｈｏｔ Ｐｌｕｇ Ｄｅｔｅｃｔと呼ばれるピンに接続される信号線が含まれており、ＨＤＭＩソース１１及びＨＤＭＩシンク２１は、この信号線を利用して、新たな電子機器、つまりＨＤＭＩシンク２１またはＨＤＭＩソース１１の接続を検出することができる。
【００２８】
次に、ＨＤＭＩソース１１を内蔵した第２の電子機器２０の構成を説明する。
ＨＤＭＩソース１１を内蔵した第２の電子機器２０は、ベースバンドのビデオデータを処理して表示部に表示したり、ベースバンドのオーディオデータを処理して音声を出力することが可能な機器であり、例えばテレビジョン受像機、プロジェクタ、モニターなどである。
【００２９】
レシーバ２２は、第１のトランスミッタ１２または第２のトランスミッタ１３のうちＨＤＭＩケーブル１を通じて接続された一方のトランスミッタから３つのＴＭＤＳチャンネル＃０，＃１，＃２で送信されてくるビデオデータ、オーディオデータおよび制御データの差動信号を受信して復調する。この際、レシーバ２２は、上記一方のトランスミッタからＴＭＤＳクロックチャンネルで送信されてくるピクセルクロックに同期して、ビデオデータ、オーディオデータおよび制御データを受信する。レシーバ２２は、復調したビデオデータ、オーディオデータおよび制御データを分離し、分離したビデオデータと、制御データ中の垂直同期信号（Ｖ＿Ｓｙｎｃ）および水平同期信号（Ｈ＿Ｓｙｎｃ）をビデオ処理部２３に供給する。また、レシーバ２２は、分離したオーディオデータをオーディオ処理部２４に供給し、ＴＭＤＳクロックチャンネルで送信されてくるピクセルクロックと、制御データ中の分周比データをオーディオクロック再生部２６にそれぞれ供給する。
【００３０】
ビデオ処理部２３は、レシーバ２２より供給されたビデオデータを、垂直同期信号（Ｖ＿Ｓｙｎｃ）および水平同期信号（Ｈ＿Ｓｙｎｃ）に従って表示部２５に表示させるように処理を行う。
【００３１】
オーディオクロック再生部２６は、レシーバ２２より供給されたピクセルクロックと分周比データとからオーディオ用のマスタークロックを生成してオーディオ処理部２４に供給する。より詳細には、オーディオクロック再生部２６は分周器を有し、この分周器で、ピクセルクロックを分周比データの分周比で分周することによってオーディオ用のマスタークロックを生成する。ここで、分周比データは、ＤＤＣを通じて得るようにしてもよい。
【００３２】
オーディオ処理部２４は、レシーバ２２より供給されたオーディオデータを、オーディオクロック再生部２６より供給されたオーディオ用のマスタークロックに同期して復調して、アナログオーディオ信号をオーディオ出力部２７に供給する。これにより、オーディオ出力部２７よりアナログオーディオ信号に対応する音声が出力される。
【００３３】
［第１、第２のトランスミッタ１２，ｌ３の周辺回路］
次に、図２を用いて、ＨＤＭＩソース１１内の第１のトランスミッタ１２および第２のトランスミッタ１３の周辺回路について説明する。
【００３４】
ＨＤＭＩソース１１内には、第１のトランスミッタ１２および第２のトランスミッタ１３の周辺回路として、デコーダ１４（復号部）、水晶発振器１５（第２の発振器）、クロック発生部１６（オーディオクロック発生部）、サンプリング・レート・コンバータ１７（変換部）、信号発生部１８（信号発生部）などが設けられている。水晶発振器１５、クロック発生部１６、サンプリング・レート・コンバータ１７、信号発生部１８は、第１の電子機器１０内での高周波ノイズによる影響が可及的に小さく抑えられるよう、配置的に第２のトランスミッタ１３の近傍に設けられている。
【００３５】
デコーダ１４は、自身に内蔵された水晶発振器（図示せず）（第１の発振器）の発振周波数信号から生成されたビデオ用のマスタークロック（第１のビデオ用のマスタークロック）を用いてビデオデータを復号し、ベースバンドのビデオデータ（Ｖ＿ＤＡＴＡ）を第１のトランスミッタ１２に出力する。また、デコーダ１４は、ビデオ用のマスタークロック（第１のビデオ用のマスタークロック）からビデオクロック（Ｖ＿ＣＬＫ）を生成するとともに、ビデオの垂直同期信号（Ｖ＿Ｓｙｎｃ）および水平同期信号（Ｈ＿Ｓｙｎｃ）を生成し、ビデオクロック（Ｖ＿ＣＬＫ）、垂直同期信号（Ｖ＿Ｓｙｎｃ）および水平同期信号（Ｈ＿Ｓｙｎｃ）をベースバンドのビデオデータ（Ｖ＿ＤＡＴＡ）とともに第１のトランスミッタ１２に供給する。
【００３６】
また、デコーダ１４は、自身に内蔵された水晶発振器（図示せず）（第１の発振器）の発振周波数信号から生成されたオーディオ用のマスタークロック（第１のオーディオ用のマスタークロック）を用いて、圧縮符号化されたオーディオデータを復号し、ベースバンドのオーディオデータ（Ａ＿ＤＡＴＡ）を第１のトランスミッタ１２および第２のトランスミッタ１３に出力する。デコーダ１４は、オーディオ用のマスタークロック（第１のオーディオ用のマスタークロック）からビットクロック（ＢＣＫ）、ＬＲクロック（ＬＲＣＫ）を生成し、これらをベースバンドのオーディオデータ（Ａ＿ＤＡＴＡ）とともに第１のトランスミッタ１２および第２のトランスミッタ１３に供給する。さらに、デコーダ１４は第１のトランスミッタ１２にオーディオ用のマスタークロック（ＭＣＫ）を供給する。
【００３７】
このように、デコーダ１４から第２のトランスミッタ１３には、ベースバンドのビデオデータ（Ｖ＿ＤＡＴＡ）、ビデオの垂直同期信号（Ｖ＿Ｓｙｎｃ）および水平同期信号（Ｈ＿Ｓｙｎｃ）は供給されない。デコーダ１４から第２のトランスミッタ１３には、オーディオデータ（Ａ＿ＤＡＴＡ）と、このオーディオデータ（Ａ＿ＤＡＴＡ）の伝送のために必要なビットクロック（ＢＣＫ）、ＬＲクロック（ＬＲＣＫ）だけ供給される。
【００３８】
水晶発振器１５は、第２のトランスミッタ１３専用の水晶発振器であり、デコーダ１４内の水晶発振器とは独立したものである。クロック発生部１６は、水晶発振器１５の発振周波数信号からオーディオ用のマスタークロック（第２のオーディオ用のマスタークロック）を生成し、サンプリング・レート・コンバータ１７に供給する。
【００３９】
サンプリング・レート・コンバータ１７は、デコーダ１４より供給されたベースバンドのオーディオデータ（Ａ＿ＤＡＴＡ）のサンプリング・レートを、クロック発生部１６より供給されたオーディオ用のマスタークロック（第２のオーディオ用のマスタークロック）のレートに合わせて変換し、第２のトランスミッタ１３に供給する。また、サンプリング・レート・コンバータ１７は、デコーダ１４より供給されたビットクロック（ＢＣＫ）、ＬＲクロック（ＬＲＣＫ）を、クロック発生部１６より供給されたオーディオ用のマスタークロック（第２のオーディオ用のマスタークロック）を基準としたビットクロック（ＢＣＫ）、ＬＲクロック（ＬＲＣＫ）に置換し、第２のトランスミッタ１３に供給する。
【００４０】
信号発生部１８は、水晶発振器１５の発振周波数信号からビデオクロック（Ｖ＿ＣＬＫ）（第２のビデオ用のマスタークロック）、ビデオの垂直同期信号（Ｖ＿Ｓｙｎｃ）および水平同期信号（Ｈ＿Ｓｙｎｃ）を生成して、第２のトランスミッタ１３に供給する。
【００４１】
そして第２のトランスミッタ１３は、サンプリング・レート・コンバータ１７より供給されたベースバンドのオーディオデータ（Ａ＿ＤＡＴＡ）に対応する差動信号をビットクロック（ＢＣＫ）、ＬＲクロック（ＬＲＣＫ）に同期して生成し、３つのＴＭＤＳチャンネル＃０，＃１，＃２でＨＤＭＩシンク２１にシリアル伝送する。これとともに、第２のトランスミッタ１３は、信号発生部１８より供給されたビデオクロック（Ｖ＿ＣＬＫ）をピクセルクロックとしてＴＭＤＳクロックチャンネルでＨＤＭＩシンク２１に送信し、ビデオデータ（Ｖ＿ＤＡＴＡ）については、すべて"黒（０）"に対応する差動信号を３つのＴＭＤＳチャンネル＃０，＃１，＃２でＨＤＭＩシンク２１にシリアル伝送する。
【００４２】
［電子機器の接続形態と動作］
次に、本実施形態のデータ伝送システム１００のＨＤＭＩソース１１としての第１の電子機器１０とＨＤＭＩシンク２１としての第２の電子機器２０との接続形態と動作について説明する。
【００４３】
ＨＤＭＩソース１１としての第１の電子機器１０には、第１のトランスミッタ１２に対応する第１のＨＤＭＩコネクタ１９Ａと、第２のトランスミッタ１３に対応する第２のＨＤＭＩコネクタ１９Ｂが設けられている。ここで、図３に示すように、ビデオとオーディオを出力可能なテレビジョン受像機などの第２の電子機器２０を第１の電子機器１０と接続する場合に、第２の電子機器２０のＨＤＭＩコネクタ２８と第１の電子機器１０の第１のＨＤＭＩコネクタ１９ＡとをＨＤＭＩケーブル１により接続することによって、ビデオデータとオーディオデータの両方を第２の電子機器２０に伝送することができる。
【００４４】
しかしながら、この場合、ＨＤＭＩソース１１からＨＤＭＩシンク２１にＴＭＤＳクロックチャンネルで伝送されるピクセルクロックは、ＨＤＭＩソース１１のデコーダ１４内で生成されたビデオ用のマスタークロックをソースとしたものである。このため、第２の電子機器２０では、第１の電子機器１０内での高周波ノイズの影響によりジッタ成分を含んだピクセルクロックをもとに生成されたオーディオ用のマスタークロックによりアナログのオーディオ信号波形の復元が行われる。この場合、オーディオ用のマスタークロックに含まれるジッタ成分による音質への悪影響が発生し得る。
【００４５】
一方、図４に示すように第２の電子機器２０のＨＤＭＩコネクタ２８と第１の電子機器１０の第２のＨＤＭＩコネクタ１９ＢとをＨＤＭＩケーブル１により接続した場合、第２の電子機器２０にデコーダ１４からのビデオデータに代えて"黒（０）"の画像データに対応する差動信号が伝送される。このため第２の電子機器２０にて有意なビデオデータを再生することはできないものの、次のような理由により、第２の電子機器２０にて高品質なオーディオデータが得られる。
【００４６】
すなわち、ＨＤＭＩソース１１からＨＤＭＩシンク２１に伝送されるピクセルクロックは、第２のトランスミッタ１３の近傍に配置された専用の水晶発振器１５の発振周波数信号をソースとしている。このため、デコーダ１４内の水晶発振器から発振される周波数信号をソースとするクロックの伝送路長に比較して、専用の水晶発振器１５の発振周波数信号をソースとするクロックの伝送路長は短くてすむ。ここで、デコーダ１４内の水晶発振器から発振される周波数信号をソースとするクロックの伝送路長とは、デコーダ１４内の水晶発振器から第１のトランスミッタ１２までのクロックの伝送路長、専用の水晶発振器１５の発振周波数信号をソースとするクロックの伝送路長とは、専用の水晶発振器１５から第２のトランスミッタ１３までのクロックの伝送路長である。クロックの伝送路長が短くなることで、第１の電子機器１０内での高周波ノイズによるクロックへの影響が低減され、ＨＤＭＩソース１１からＨＤＭＩシンク２１に伝送されるピクセルクロックに発生するジッタの量を低減することができる。したがって、第２の電子機器２０において、第１の電子機器１０よりＨＤＭＩケーブル１を通じて伝送されたオーディオデータに対応する高品質な音が得られる。
【００４７】
以上説明したように、本実施形態では、サンプリング・レート・コンバータ１７にて、デコーダ１４より供給されたベースバンドのオーディオデータのサンプリング・レートを、第２のトランスミッタ１３の近傍に配置された専用の水晶発振器１５の発振周波数信号から生成されたオーディオ用のマスタークロックのレートに合わせる。そして、上記の専用の水晶発振器１５の発振周波数信号をソースとして、第２のトランスミッタ１３にてピクセルクロックを生成し、ＨＤＭＩシンク２１のレシーバ２２に伝送する。これによりＨＤＭＩソース１１からＨＤＭＩシンク２１にオーディオデータを高品質に伝送することができる。
【００４８】
なお、以上の説明では、第２の電子機器２０として、ビデオとオーディオを出力可能なテレビジョン受像機などの機器を第１の電子機器１０と接続することとしたが、オーディオのみを出力可能な機器を第２の電子機器２０として第１の電子機器１０と接続することも可能である。
【００４９】
なお、本発明は、上述の実施形態にのみ限定されるものではなく、本発明の要旨を逸脱しない範囲内において種々変更を加え得ることは勿論である。
【符号の説明】
【００５０】
１…ＨＤＭＩケーブル
１０…第１の電子機器
１１…ＨＤＭＩソース
１２…第１のトランスミッタ
１３…第２のトランスミッタ
１４…デコーダ
１５…水晶発振器
１６…クロック発生部
１７…サンプリング・レート・コンバータ
１８…信号発生部
１９Ａ…第１のＨＤＭＩコネクタ
１９Ｂ…第２のＨＤＭＩコネクタ
２０…第２の電子機器
２１…ＨＤＭＩシンク
２２…レシーバ
２３…ビデオ処理部
２４…オーディオ処理部
２５…表示部
２６…オーディオクロック再生部
２７…オーディオ出力部
２８…ＨＤＭＩコネクタ
１００…データ伝送システム
【図１】
2011066548.tif 000003
【図２】
2011066548.tif 000004
【図３】
2011066548.tif 000005
【図４】
2011066548.tif 000006